(57)【要約】【課題】単純な構造で精度が良く、その上安価な金属帯板の形状測定ロール及び金属帯板の形状測定装置を提供する。【解決手段】金属の帯板が走行する設備に両端が回転自在に支持され前記帯板を巻き付けるように配置されるロールにおいて、該ロールの表面には少なくとも１本以上の周方向から傾斜した溝、又は、少なくとも２本以上の円周方向の溝を設けるとともに、前記ロールの軸方向位置には少なくとも１個以上の前記帯板の変位を測定する変位測定手段を備えた。【選択図】図１
2009175114.tif 000002
【特許請求の範囲】
【請求項１】
金属の帯板が走行する設備に両端が回転自在に支持され前記帯板を巻き付けるように配置されるロールにおいて、
該ロールの表面には少なくとも１本以上の周方向から傾斜した溝、又は、少なくとも２本以上の円周方向の溝を設けるとともに、
前記ロールの軸方向位置には少なくとも１個以上の前記帯板の変位を測定する変位測定手段を備える
ことを特徴とする金属帯板の形状測定装置。
【請求項２】
請求項１に記載の金属帯板の形状測定装置において、
前記ロールに嵌合する中空円筒を備える
ことを特徴とする金属帯板の形状測定装置。
【請求項３】
請求項１又は請求項２に記載の金属帯板の形状測定装置において、
複数位置で測定された前記帯板の変位から該帯板の張力の板幅方向分布を演算する演算手段を備える
ことを特徴とする金属帯板の形状測定装置。
【発明の詳細な説明】
【技術分野】
【０００１】
本発明は、金属帯板の形状測定装置に関する。
【背景技術】
【０００２】
従来、金属帯板の形状を測定する形状測定装置として、例えば、走行する金属帯板を電磁力で吸引する電磁力吸引装置と、電磁力で吸引したときの金属帯板の変位を測定する変位測定装置とを備え、変位測定装置で測定された金属帯板の変位分布から金属帯板の形状を演算するものが知られている。このような金属帯板の形状測定装置の一例が下記非特許文献１に開示される。
【０００３】
【非特許文献１】社団法人日本鉄鋼協会  共同研究会  圧延理論部会  編集、「特別報告書Ｎｏ．３８  板圧延の理論と実際」、社団法人日本鉄鋼協会、昭和５９年９月１日、ｐ．２６６−２６７
【発明の開示】
【発明が解決しようとする課題】
【０００４】
しかしながら、上述した従来の金属帯板の形状測定装置では、走行する金属帯板を吸引するために電磁石を用いているが、金属帯板の板厚が厚い場合や張力が大きい場合には、金属帯板のたわみは極めて小さくなり、測定精度が低下するという問題がある。
また、非鉄金属や磁性のないステンレス鋼板等には適用できず、使用範囲が限定されるという問題がある。
さらに、金属帯板のたわみを正確に与えるために必ず電磁力吸引装置と変位測定装置の前後にデフレクタロールを設置しなければならず、設備長が長くなり、装置構成が複雑で高価になるという問題がある。
以上のことから、本発明は、単純な構造で精度が良く、その上安価な金属帯板の形状測定ロール及び金属帯板の形状測定装置を提供することを目的とする。
【課題を解決するための手段】
【０００５】
上記の課題を解決するための第１の発明に係る金属帯板の形状測定装置は、
金属の帯板が走行する設備に両端が回転自在に支持され前記帯板を巻き付けるように配置されるロールにおいて、該ロールの表面には少なくとも１本以上の周方向から傾斜した溝、又は、少なくとも２本以上の円周方向の溝を設けるとともに、前記ロールの軸方向位置には少なくとも１個以上の前記帯板の変位を測定する変位測定手段を備えることを特徴とする。
【０００６】
上記の課題を解決するための第２の発明に係る金属帯板の形状測定装置は、第１の発明に係る金属帯板の形状測定装置において、前記ロールに嵌合する中空円筒を備えることを特徴とする。
【０００７】
上記の課題を解決するための第３の発明に係る金属帯板の形状測定装置は、第１の発明又は第２の発明に係る金属帯板の形状測定装置において、複数位置で測定された前記帯板の変位から該帯板の張力の板幅方向分布を演算する演算手段を備えることを特徴とする。
【発明の効果】
【０００８】
本発明によれば、金属帯板の変位測定手段は回転するロールに対し固定側にあるため、ロールの熱変形に対しほとんど影響を受けることがない。また、金属帯板の変位測定手段の数やロールの溝数は任意に設定することができるので、これらを多くするだけで張力の板幅方向分布を細かいピッチで求めることができる。また、ロールは単純な形状で加工も容易なため安価に製造することができる。
【０００９】
さらに、従来必要であった金属帯板の電磁力吸引装置が不要となるので複雑な構成で効果であった形状測定装置を安価に製造でき、非鉄金属や磁性のないステンレス鋼板等にも適用できるため、高品質な金属帯板の製造を容易にすることができる。
【発明を実施するための最良の形態】
【００１０】
始めに、本発明に係る金属帯板の形状測定装置の実施の形態について説明する。
本発明に係る金属帯板の形状測定装置は、両端が回転自在に支持され、金属帯板を巻き付けるように配置されるロール（形状測定ロール）において、このロール表面には少なくとも１本以上の周方向から傾斜した溝を設けるとともに、金属帯板の変位を測定する変位測定手段を備えることを特徴とする。変位測定手段は、１個のセンサをロール軸方向に移動させて金属帯板の変位を測定すればよいが、ロール軸方向にセンサを固定する場合は２個以上のセンサを設置する。
【００１１】
また、ロールには、このロール表面に設ける少なくとも１本以上の周方向から傾斜した溝に替えて、周方向全周に亘る溝、又は、周方向全周には連続しない溝を少なくとも軸方向に２個以上設けてもよい。
【００１２】
また、変位測定手段としては、例えば、レーザ変位計、渦電流式変位計及び超音波変位計等の各種センサが挙げられるが、金属帯板と非接触で、金属帯板と各種センサとの距離を測定できるものであればどのような方式のものを用いてもよい。
【００１３】
また、金属帯板を巻き付けるロールは溝を有しない金属円筒の表面に樹脂をライニングし、その樹脂自体に溝を設けることにより、金属帯板の表面に傷がつくことを防止することもできる。
【００１４】
また、金属帯板を巻き付けるロール表面に溝を設けることにより、金属帯板の表面に傷がつく虞がある場合、金属帯板と接するロール表面を樹脂で被覆して金属帯板の表面に傷がつくことを防止することもできる。
【００１５】
また、金属帯板を巻き付けるロール表面に溝を設けることにより、金属帯板の表面に傷がつく虞がある場合、ロールに金属帯板の変位を測定することが可能な程度の厚さを有する中空円筒を嵌合することにより、金属帯板の表面に傷がつくことを防止することもできる。
【００１６】
また、ロール表面に設けた溝と、溝の外側のロール表面との境界部の直径の変化（段差）を、緩やかなテーパ又は滑らかな曲線もしくはこれらを組み合わせて漸減させるようにすることにより、金属帯板の表面に傷がつくことを防止することもできる。
【００１７】
また、本発明に係る金属帯板の形状測定装置は、複数のロール軸方向位置における金属帯板の変位の測定値から、金属帯板の張力の板幅方向分布を算出し、その張力分布を板形状に換算する演算手段を備えることを特徴とする。これにより、長くてもロール１回転中のロール軸方向位置の金属帯板の変位の測定値から金属帯板の形状（特に長手方向の形状）を瞬時に演算することができる。
【００１８】
なお、ロールに設ける溝の形状によっては、金属帯板の変位と張力の関係（比例定数）が変わることがある。これはそれぞれのロールに固有なものであり、設置前にその特性を調べ調整しておけばよいが、使用中にロールが摩耗したりするとその関係が変化し、精度が低下する可能性がある。また、ロールを研磨するたびに調整を行うのは著しく作業性を阻害する。
【００１９】
このため、測定した変位の板幅方向の積分平均値が平均張力と比例関係にあることに着目し、平均張力を測定する平均張力測定手段を用いて、事前に特性を調整することなく経時的に変化する比例定数を逐次決定することも可能である。この平均張力測定手段には、例えば、ロールの両端に金属帯板の巻き付け反力を測定する巻き付け反力測定装置を設置することで、平均張力を測定するような方式を適用することができる。また、平均張力として、金属帯板の巻取り装置等における測定値を用いてもよい。
【実施例１】
【００２０】
以下、本発明の第１の実施例に係る金属帯板の形状測定装置について説明する。
はじめに、本実施例に係る金属帯板の形状測定装置が配置される周辺装置の構成について説明する。
【００２１】
図９は、本発明の第１の実施例に係る形状測定ロールを金属帯板が走行するライン内に配置するためのロール配置例を示した図である。この場合、図９に示すように、形状測定ロール２０の前後にデフレクタロール６０，６１を配置し金属帯板１が形状測定ロール２０に巻き付くようにしている。
【００２２】
図１０は、本発明の第１の実施例に係る形状測定ロールを圧延機の出側に配置した例を示した図である。この場合、図１０に示すように、圧延機７０の手前に形状測定ロール２０を配置し、この手前に形状測定ロール２０よりも低い位置に金属帯板１を巻き取っている巻き取り装置８０を設置した。このように、巻き取り装置８０は走行ラインよりも低い位置にあるので、デフレクタロール６０，６１（図９参照）を設置しなくても形状測定ロール２０に金属帯板１は巻き付くことになる。
【００２３】
次に、本実施形態に係る金属帯板の形状測定装置の構成について説明する。
図１は、本発明の第１の実施例に係る形状測定ロールに設けられる溝の形状の例を示した図である。図１に示すように、軸受箱３１，３２及び支持架台３３，３４で支持した形状測定ロール２０に、金属帯板１が巻き付くように配置されている。
【００２４】
さらに、形状測定ロール２０の巻き付け面と接する金属帯板１の変位を測定するように変位測定センサ４２を組み込んだ架台４１が設けられている。形状測定ロール２０には、円周方向から傾斜した方向に溝２０１が設けられている。言い換えれば、形状測定ロール２０の表面には溝２０１が螺旋状に設けられている。
【００２５】
なお、複数の圧延機７０（図１０参照）で金属帯板１を圧延する際に、圧延機７０間に設置する形状測定装置は圧延の安定操業を目的として、金属帯板１の板幅方向の左右（両端部）の非対称を検出するだけでよい場合がある。この場合には、板幅方向の２点について張力を測定すれば非対称の度合を検出することができる。したがって、本実施例では、変位測定センサ４２は２個あればよい。
【００２６】
また、変位測定センサ４２には、変位測定センサ４２で測定した金属帯板１の変位から金属帯板１の形状を演算する演算装置５１が設置されている。演算装置５１における金属帯板１の形状の測定原理については後ほど説明する。
【００２７】
図１１は本発明の第１の実施例に係る金属帯板が形状測定ロールに巻き付く様子を示した図である。図１１に示すように、金属帯板１は圧延機７０（図１０参照）内等を走行時に図１１中にＴで示す張力で引っ張られたときに、形状測定ロール２０に設けられた溝２０１に食い込むため、金属帯板１の表面の基準位置に対して図１１中にδで示す変位が生ずる。そして、この変位を変位測定センサ４２で測定する。
【００２８】
次に、本実施例に係る金属帯板の形状測定装置の測定原理について説明する。
図１２は本発明の第１の実施例に係る金属帯板の張力と変位との関係の例を示した図である。なお、ここでは溝幅は例として６７．５ｍｍと設定して算出した。図１２に示すように、張力の増加に比例して変位が増加していることがわかる。
【００２９】
金属帯板１の張力と変位との関係（比例定数）については、有限要素法等を用いて求めるか、実際に金属板帯板１にかかる張力を測定し、そのときの変位を測定することにより求めることができる。このようにして、予め溝幅や金属帯板１の厚さ等の適用する金属帯板１の種類ごとに、張力と変位との関係（比例定数）を求めておくことで、溝がある部分の金属帯板１の変位を測定するだけで、金属帯板１に作用する張力を求めることができる。
【００３０】
図１３は本発明の第１の実施例に係る板の単位幅当りの張力を演算する様子を示した図である。図１３に示すように、演算装置５１において、上述した方法により予め設定した金属帯板１の張力と変位の関係（比例定数）を利用して、変位測定センサ４２で測定した溝２０１の位置の金属帯板１の変位から、該当する板幅方向の位置における金属帯板１の単位幅当りの張力を演算する。
【００３１】
ここで、金属帯板１の形状と金属帯板１の単位幅当たりの張力との関係について説明する。金属帯板１は圧延時に板幅方向の位置により長手方向の長さが変わってくる場合がある。そして、金属帯板１は板幅方向で長手方向の長さに違いがある場合、長さの短い部分の方が長さの長い部分よりもより強く引っ張られることになる。すなわち、長さの短い部分は張力が高く、長さの長い部分は張力が低くなる。このような関係から、金属帯板１の単位幅当りの張力を求めることで、金属帯板１の長手方向の形状を測定することができる。
【００３２】
ここで、本実施例に係る金属帯板の形状測定装置の変位測定センサによる測定の結果の例を示す。
図１４は本発明の第１の実施例に係る金属帯板の形状測定の例を示した図である。また、図１４（ａ）は本発明の第１の実施例に係る金属帯板の板幅方向の各部の変位の例を示した図である。なお、実際には図１４（ａ）に示されるように金属帯板１の板幅方向の各部の変位のピークは同時に測定されるわけではないが、ここでは形状測定ロール２０の回転位相をずらして金属帯板１の板幅方向の各部の変位がピークになるように表示している。また、溝の部分に位置する金属帯板１の変位を実線で表し、溝がない部分の金属帯板１の変位を破線で表している。また、金属帯板１の幅方向の中央部を０ｍｍとして表示し、金属帯板１の板幅は、例として９００ｍｍとしている。
【００３３】
図１４（ａ）に示すような変位が測定された場合、図１１に示した金属帯板１の張力と変位との関係から、変位の大きい部分は長手方向の長さが長く、変位の小さい部分は長手方向の長さが短いということが分かる。このことから、図１４（ｂ）に示すように、金属帯板１は、ａで示す端部側の方が、ｂで示す端部側よりも長手方向の長さが長い形状となっていることがわかる。
【実施例２】
【００３４】
以下、本発明の第２の実施例に係る金属帯板の形状測定装置について説明する。なお、形状測定装置以外の形状測定装置の周辺装置の構成については第１の実施例と同様であるためここでの説明は省略する。
【００３５】
図２は、本発明の第２の実施例に係る金属帯板の形状測定装置の構成例を示した図である。図２に示すように、軸受箱３１，３２及び支持架台３３，３４で支持した形状測定ロール２１に、金属帯板１が巻き付くように配置されている。さらに、巻き付け面の金属帯板１の変位を測定するように変位測定センサ４２を組み込んだ架台４１が設けられている。形状測定ロール２１には、複数の円周方向全周に亘る溝２１１が設けられている。
【００３６】
なお、複数の圧延機７０（図１０参照）で金属帯板１を圧延する際に、圧延機７０間に設置する形状測定装置は圧延の安定操業を目的として、金属帯板１の板幅方向の左右（両端部）の非対称を検出するだけでよい場合がある。この場合には板幅方向の２点について張力を測定すれば非対称の度合を検出することができる。したがって、本実施例に係る形状測定ロール２１の場合は、少なくとも２本以上の溝２１１が必要となる。
【００３７】
また、変位測定センサ４２には、変位測定センサ４２で測定した金属帯板１の変位から金属帯板１の形状を演算する演算装置５１が設置されている。なお、演算装置５１における演算内容は第１の実施例と同様であるためここでの説明は省略する。また、本実施例に係る形状測定ロール２１の配置位置については第１の実施例と同様のためここでの説明は省略する。
【実施例３】
【００３８】
以下、本発明の第３の実施例に係る金属帯板の形状測定装置について説明する。なお、形状測定装置以外の形状測定装置の周辺装置の構成については第１の実施例と同様であるためここでの説明は省略する。
【００３９】
図３は、本発明の第３の実施例に係る金属帯板の形状測定装置の構成例を示した図である。図３に示すように、軸受箱３１，３２及び支持架台３３，３４で支持した形状測定ロール２２に、金属帯板１が巻き付くように配置されている。さらに、巻き付け面の金属帯板１の変位を測定するように変位測定センサ４２を組み込んだ架台４１が設けられている。形状測定ロール２２には、円周方向に連続しない複数の溝２２１が設けられている。
【００４０】
なお、複数の圧延機７０（図１０参照）で金属帯板１を圧延する際に、圧延機７０間に設置する形状測定装置は圧延の安定操業を目的として、金属帯板１の板幅方向の左右（両端部）の非対称を検出するだけでよい場合がある。この場合には板幅方向の２点について張力を測定すれば非対称の度合を検出することができる。したがって、本実施例に係る形状測定ロール２２の場合は、少なくとも２本以上の溝２２１が必要となる。
【００４１】
変位測定センサ４２には、変位測定センサ４２で測定した金属帯板１の変位から金属帯板１の形状を演算する演算装置５１が設置されている。なお、演算装置５１における演算内容は第１の実施例と同様であるためここでの説明は省略する。また、本実施例に係る形状測定ロール２２の配置位置については第１の実施例と同様のためここでの説明は省略する。
【実施例４】
【００４２】
以下、本発明の第４の実施例に係る金属帯板の形状測定装置について説明する。なお、形状測定ロール以外の形状測定装置の構造及び周辺装置の構成については第１の実施例と同様であるためここでの説明は省略する。
【００４３】
図４は、本発明の第４の実施例に係る形状測定ロールの構成例を示した図である。図４に示すように、表面に溝を有さない金属ロール２３に樹脂でライニング２３１を施した上で、このライニング２３１自体に円周方向から傾斜した溝２３２が設けられている。言い換えれば、ライニング２３１には溝２３２が螺旋状に設けられている。なお、ライニング２３１自体に設けられる溝２３２は、第２，３の実施例の溝２１１，２２１のように、全周に亘るものや円周方向に連続しないものとしてもよい。
【実施例５】
【００４４】
以下、本発明の第５の実施例に係る金属帯板の形状測定装置について説明する。なお、形状測定ロール以外の形状測定装置の構造及び周辺装置の構成については第１の実施例と同様であるためここでの説明は省略する。
【００４５】
図５は、本発明の第５の実施例に係る形状測定ロールの構成例を示した図である。図５に示すように、第１の実施例に係る形状測定ロール２０の金属帯板１と接触する面に、樹脂コーティング２４１を施している。なお、形状測定ロール２０に設けられる溝２０１は、第２，３の実施例の溝２１１，２２１のように、全周に亘るものや円周方向に連続しないものとしてもよい。
【実施例６】
【００４６】
以下、本発明の第６の実施例に係る金属帯板の形状測定装置について説明する。なお、形状測定ロール以外の形状測定装置の構造及び周辺装置の構成については第１の実施例と同様であるためここでの説明は省略する。
【００４７】
図６は、本発明の第６の実施例に係る形状測定ロールの構成例を示した図である。図６に示すように、第１の実施例に係る形状測定ロール２０の金属帯板１と接触する面に、金属帯板１の変位を測定することが可能な程度の厚さを有する中空円筒２４２を嵌合している。なお、形状測定ロール２０に設けられる溝２０１は、第２，３の実施例の溝２１１，２２１のように、全周に亘るものや円周方向に連続しないものとしてもよい。
【００４８】
このように、本実施例によれば、溝２０１の端部による金属帯板１の傷付きを防止することができ、さらに、溝２０１に油や鉄粉等が入ることにより金属帯板１の表面に悪影響を及ぼすことを防止することができる。
【実施例７】
【００４９】
以下、本発明の第７の実施例に係る金属帯板の形状測定装置について説明する。
加減速がしばしば行われるライン内に形状測定ロールを設置する場合、回転慣性が小さいロールでないと加減速中に帯板とロールが滑り、帯板に傷がつく虞がある。このため、本実施例では、加減速がしばしば行われるライン内に形状測定ロールを設置する場合、この形状測定ロールの形状を中空の円筒とした。なお、形状測定装置以外の形状測定装置の周辺装置の構成については第１の実施例と同様であるためここでの説明は省略する。
【００５０】
図７は、本発明の第７の実施例に係る金属帯板の形状測定装置の構成例を示した図である。図７に示すように、形状測定ロール２５は中空の円筒となっている。この形状測定ロール２５の表面には、円周方向に傾斜した溝２５１が形成されている。また、形状測定ロール２５は軸受３１１，３２１により軸３００に保持されている。軸３００は架台３３１，３４１により保持されている。
【００５１】
このように、本実施例によれば、形状測定ロール２５を中空の円筒としたことにより、形状測定ロール２５を軽量化することができるため、加減速中に帯板とロールが滑り、帯板に傷がつくことを防止することができる。
【実施例８】
【００５２】
以下、本発明の第８の実施例に係る金属帯板の形状測定装置について説明する。なお、形状測定ロールの溝以外の形状測定装置の構造及び周辺装置の構成については第１〜第６の実施例と同様であるためここでの説明は省略する。
【００５３】
図８は、本発明の第８の実施例に係る形状測定ロールに設けられる溝の断面形状の例を示した図である。図８に示すように、第１〜第６の実施例に係る溝２０１，２１１，２２１，２３２，２５１の形状を、金属帯板１と接触する形状測定ロール２０，２１，２２，２３及び樹脂２３１，２４１の表面と溝２０１，２１１，２２１，２３２，２５１の直径差に伴う段差が漸減するような曲線で滑らかに結ぶように、溝２０１´のような形状とした。
【００５４】
これは、形状測定ロール２０，２１，２２，２５及び樹脂２３１，２４１の表面に設けた溝２０１，２１１，２２１，２３２，２５１と形状測定ロール２０，２１，２２，２５及び樹脂２３１，２４１の表面との直径差（段差）が形状測定ロール２０，２１，２２，２５及び樹脂２３１，２４１の軸方向に急変すると、溝２０１，２１１，２２１，２３２，２５１の縁に近い形状測定ロール２０，２１，２２，２５及び樹脂２３１，２４１の表面で金属帯板１の巻き付け圧力が急激に上昇し、金属帯板１に傷がつく虞があるためである。
【００５５】
このように、形状測定ロール２０，２１，２２，２５及び樹脂２３１，２４１の表面から溝２０１´に移る部分を緩やかな直線又は滑らかな曲線で直径が緩やかに減少するようにすることで、巻き付け圧力は溝底に向かって減少するようになるため、金属帯板１に傷が入ることを防止することができる。
【産業上の利用可能性】
【００５６】
本発明は、例えば、金属帯板が走行するライン内に設置する金属帯板の形状測定装置に利用することが可能である。
【図面の簡単な説明】
【００５７】
【図１】本発明の第１の実施例に係る形状測定ロールに設けられる溝の形状の例を示した図である。
【図２】本発明の第２の実施例に係る金属帯板の形状測定装置の構成例を示した図である。
【図３】本発明の第３の実施例に係る金属帯板の形状測定装置の構成例を示した図である。
【図４】本発明の第４の実施例に係る形状測定ロールの構成例を示した図である。
【図５】本発明の第５の実施例に係る形状測定ロールの構成例を示した図である。
【図６】本発明の第６の実施例に係る形状測定ロールの構成例を示した図である。
【図７】本発明の第７の実施例に係る金属帯板の形状測定装置の構成例を示した図である。
【図８】本発明の第８の実施例に係る形状測定ロールに設けられる溝の断面形状の例を示した図である。
【図９】本発明の第１の実施例に係る形状測定ロールを金属帯板が走行するライン内に配置するためのロール配置例を示した図である。
【図１０】本発明の第１の実施例に係る形状測定ロールを圧延機の出側に配置した例を示した図である。
【図１１】本発明の第１の実施例に係る金属帯板が形状測定ロールに巻き付く様子を示した図である。
【図１２】本発明の第１の実施例に係る金属帯板の張力と変位との関係の例を示した図である。
【図１３】本発明の第１の実施例に係る板の単位幅当りの張力を演算する様子を示した図である。
【図１４】本発明の第１の実施例に係る金属帯板の形状測定の例を示した図である。
【符号の説明】
【００５８】
１  金属帯板
２０  円周方向から傾斜した方向の溝を設けた形状測定ロール
２０１  形状測定ロールに設けた円周方向から傾斜した方向の溝
２０１´  金属帯板と接する表面と溝の段差を滑らかな曲線で結んだ溝断面
３１，３２  軸受を内蔵した軸受箱
３３，３４  軸受箱を保持する架台
４１  金属帯板の変位測定センサを取付けた架台
４２  金属帯板の変位測定センサ
２１  円周方向全周に亘る溝を設けた形状測定ロール
２１１  形状測定ロールに設けた円周方向全周に亘る溝
５１  測定された金属帯板の変位を用いた形状の演算装置
２３  溝を持たない金属ロール
２３１  溝を持たない金属ロールにライニングした樹脂
２３２  溝を持たない金属ロールにライニングした樹脂に設けた溝
２４１  形状測定ロールの金属帯板と接する表面にコーティングした樹脂
２４２  形状測定ロールに嵌合した中空円筒
２５  円周方向から傾斜した溝を設けた中空の形状測定ロール
２５１  中空の形状測定ロールに設けた円周方向から傾斜した方向の溝
３００  中空の形状測定ロールを保持する軸受を保持する軸
３１１，３２１  中空の形状測定ロールを保持する軸受
３３１，３４１  軸を保持する架台
６０，６１  走行する金属帯板を形状測定ロールに巻き付かせるためのデフレクタロール
７０  圧延機
８０  圧延された金属帯板の巻き取り装置
【図１】
2009175114.tif 000003
【図２】
2009175114.tif 000004
【図３】
2009175114.tif 000005
【図４】
2009175114.tif 000006
【図５】
2009175114.tif 000007
【図６】
2009175114.tif 000008
【図７】
2009175114.tif 000009
【図８】
2009175114.tif 000010
【図９】
2009175114.tif 000011
【図１０】
2009175114.tif 000012
【図１１】
2009175114.tif 000013
【図１２】
2009175114.tif 000014
【図１３】
2009175114.tif 000015
【図１４】
2009175114.tif 000016